(57)【特許請求の範囲】
【請求項１】
像ぶれを防止するための補正光学系を有する可動光学補正手段と、
前記可動光学補正手段を駆動して前記補正光学系を、像ぶれを防止する方向に移動させる駆動手段と、
像ぶれ補正モードを選択するモード選択手段と、
前記駆動手段による像ぶれ防止動作を開始する際に、前記モード選択手段によって選択された像ぶれ補正モードに応じて前記補正光学系を異なる軌跡に沿って移動させる移動制御手段と、
を備えたことを特徴とする像ぶれ防止装置。
【請求項２】
前記像ぶれ補正モードは、鉛直方向及び水平方向の振れを補正する第１のモードと、鉛直方向の振れのみを補正する第２のモードとを有し、前記モード選択手段によって前記第１のモードが選択されると前記補正光学系は円弧を描く軌跡に沿って移動され、前記第２のモードが選択されると前記補正光学系は鉛直方向の直線状の軌跡に沿って移動されることを特徴とする請求項１に記載の像ぶれ防止装置。
【発明の詳細な説明】
【技術分野】
【０００１】
本発明は像ぶれ防止装置に係り、特にカメラの撮影光学系に組み込まれ、カメラを把持したユーザーの手ぶれ等に起因する像ぶれを防止するための像ぶれ防止装置に関する。
【背景技術】
【０００２】
像ぶれ防止装置は、手ぶれ等に起因する像ぶれを補正するための補正光学系を備え、この補正光学系を撮影光軸と直交する面内で移動自在に支持し、加速度センサー等の振動検出手段により検出された振動を打ち消す方向に補正光学系をアクチュエータによって駆動させることにより、結像面上での像ぶれを防止する。
【０００３】
ところで、像ぶれ防止装置の補正光学系が可動範囲の限界付近にある状態で像ぶれ防止動作を開始すると、動作開始後すぐに補正光学系がこの可動範囲の限界に突き当たるため、像ぶれ防止動作が不能になる場合がある。
【０００４】
特許文献１に開示された像ぶれ防止装置は、上記不具合を解消するために、補正光学系を駆動するアクチュエータによる像ぶれ防止動作を開始する際に、補正光学系を可動範囲の中心にあらかじめ位置させるように制御している。これにより、補正光学系の可動範囲が広がるため、補正光学系が可動範囲の限界にすぐに達して、それ以上像ぶれ防止動作ができなくなるという上記問題を解消することができる。
【特許文献１】特許公報第２７０３５８１号
【発明の開示】
【発明が解決しようとする課題】
【０００５】
しかしながら、特許文献１の像ぶれ防止装置は、像ぶれ防止動作を開始する際に補正光学系を可動範囲の中心に位置させるだけのシーケンスなので、像ぶれ防止機能が機能しているかを、ユーザーが把握することが難しいという欠点がある。
【０００６】
本発明は、このような事情に鑑みてなされたもので、像ぶれ防止機能が機能しているか否かをユーザーが容易に把握することができる像ぶれ防止装置を提供することを目的とする。
【課題を解決するための手段】
【００１１】
請求項１に記載の発明は、前記目的を達成するために、像ぶれを防止するための補正光学系を有する可動光学補正手段と、前記可動光学補正手段を駆動して前記補正光学系を、像ぶれを防止する方向に移動させる駆動手段と、像ぶれ補正モードを選択するモード選択手段と、前記駆動手段による像ぶれ防止動作を開始する際に、前記モード選択手段によって選択された像ぶれ補正モードに応じて前記補正光学系を異なる軌跡に沿って移動させる移動制御手段と、を備えたことを特徴とする。
【００１２】
請求項１に記載の発明によれば、像ぶれ防止動作を開始する際に、移動制御手段が補正光学系を所定の軌跡に沿って移動させるが、この時、補正光学系は、モード選択手段によって選択された像ぶれ補正モードに応じた軌跡に沿って移動する。これにより、例えばカメラの液晶モニタを見ているユーザーは、液晶モニタから見える被写体のスルー画面が変化するので、その変化を確認することにより、像ぶれ防止機能が機能しているか否かを容易に把握することができる。また、この時の補正光学系の移動軌跡を確認するだけで、現在設定されている像ぶれ補正モードを把握することができる。
【００１３】
請求項２に記載の発明は、請求項１において、前記像ぶれ補正モードは、鉛直方向及び水平方向の振れを補正する第１のモードと、鉛直方向の振れのみを補正する第２のモードとを有し、前記モード選択手段によって前記第１のモードが選択されると前記補正光学系は円弧を描く軌跡に沿って移動され、前記第２のモードが選択されると前記補正光学系は鉛直方向の直線状の軌跡に沿って移動されることを特徴とする。
【００１４】
請求項２に記載の発明によれば、モード選択手段によって第１のモードを選択すると、補正光学系は円弧を描く軌跡に沿って移動するので、像ぶれ防止装置が鉛直方向及び水平方向の振れを補正することをユーザーが容易に把握でき、第２のモードを選択すると補正光学系は鉛直方向の直線状の軌跡に沿って移動するので、像ぶれ防止装置が鉛直方向の振れのみを補正することをユーザーが容易に把握できる。
【発明の効果】
【００１５】
本発明に係る像ぶれ防止装置によれば、電源が投入された際に補正光学系を所定の軌跡に沿って移動させたり、像ぶれ防止動作を開始する際に、所定のタイミングで補正光学系を所定の軌跡に沿って移動させたり、像ぶれ防止動作を開始する際に、モード選択手段によって選択された像ぶれ補正モードに応じて前記補正光学系を異なる軌跡に沿って移動させたりしたので、像ぶれ防止機能が機能しているか否かをユーザーが容易に把握することができる。
【発明を実施するための最良の形態】
【００１６】
以下、添付図面に従って本発明に係る像ぶれ防止装置の好ましい実施の形態について説明する。
【００１７】
図１、図２は、それぞれ本発明の像ぶれ防止装置が適用されたデジタルカメラ１０の正面斜視図と背面斜視図である。このデジタルカメラ１０は、光学式の像ぶれ防止装置を備えたカメラであって、そのカメラ本体１２の正面には、図１に示すように、撮影レンズ１４、ファインダ窓１６、ストロボ１８等がそれぞれ所定の位置に設けられている。また、カメラ本体１２の上面には、撮影ボタン２０、電源／モードスイッチ２２、モードダイヤル２４、手ぶれ補正機能切替スイッチ（モード選択手段）２６等が設けられており、背面には、図２に示すように、ファインダ接眼部２８、液晶モニタ３０、ズームボタン３２、十字キー３４、ＭＥＮＵ／ＯＫボタン３６、ＤＩＳＰボタン３８、ＢＡＣＫボタン４０等がそれぞれ所定の位置に設けられている。
【００１８】
撮影ボタン２０は、いわゆる「半押し（Ｓ１）」と「全押し（Ｓ２）」とからなる２段ストローク式のスイッチで構成されており、この撮影ボタン２０を半押しすることにより、デジタルカメラ１０は、ＡＥ（Automatic Exposure：自動露出）、ＡＦ（Auto Focus：自動合焦）、ＡＷＢ（Automatic White Balance ：自動ホワイトバランス）が機能し、全押しすることにより、画像の記録が行われる。
【００１９】
なお、後述するが、手ぶれ補正機能切替スイッチ２６が手ぶれ補正ＯＮに設定されている場合には、撮影ボタン２０が半押しされると、像ぶれ防止装置の補正レンズ（補正光学系）が可動範囲の外周に沿って１周するように駆動される。また、手ぶれ補正機能切替スイッチ２６が手ぶれ補正チルトに設定されている場合には、撮影ボタン２０が半押しされると、像ぶれ防止装置の補正レンズが鉛直方向に直線状に１往復するように駆動される。
【００２０】
電源／モードスイッチ２２は、デジタルカメラ１０の電源をＯＮ／ＯＦＦする電源スイッチとしての機能と、デジタルカメラ１０のモードを設定するモードスイッチとしての機能を有しており、「ＯＦＦ位置」、「再生位置」、「撮影位置」の間をスライド自在に設けられている。デジタルカメラ１０は、この電源／モードスイッチ２２を「再生位置」又は「撮影位置」に合わせることにより、電源がＯＮになり、「ＯＦＦ位置」に合わせることにより、電源がＯＦＦになる。そして、電源／モードスイッチ２２を「再生位置」に合わせることにより「再生モード」に設定され、「撮影位置」に合わせることにより「撮影モード」に設定される。
【００２１】
なお、後述するが、手ぶれ補正機能切替スイッチ２６が手ぶれ補正ＯＮに設定されている場合であって、電源／モードスイッチ２２によって電源をＯＮにすると、像ぶれ防止装置の補正レンズ（補正光学系）が可動範囲の外周に沿って１周するように駆動される。また、手ぶれ補正機能切替スイッチ２６が手ぶれ補正チルトに設定されている場合であって、電源／モードスイッチ２２によって電源をＯＮにすると、像ぶれ防止装置の補正レンズが鉛直方向に直線状に１往復するように駆動される。
【００２２】
モードダイヤル２４は、デジタルカメラ１０の撮影モードを設定する撮影モード設定手段として機能し、このモードダイヤルの設定位置により、デジタルカメラ１０の撮影モードが、「オート撮影モード」、「動画撮影モード」、「人物撮影モード」、「スポーツ撮影モード」、「風景撮影モード」、「夜景撮影モード」、「プログラム撮影モード」、「絞り優先撮影モード」、「シャッタスピード優先撮影モード」、「マニュアル撮影モード」に設定される。
【００２３】
手ぶれ補正機能切替スイッチ２６は、デジタルカメラ１０に備えられた像ぶれ防止装置の機能切替スイッチとして機能し、鉛直方向及び水平方向のぶれを補正する「手ぶれ補正ＯＮ位置」、「手ぶれ補正ＯＦＦ位置」、及び鉛直方向のぶれのみを補正する「手ぶれ補正チルト」の間をスライド自在に設けられている。デジタルカメラ１０は、この手ぶれ補正機能切替スイッチ２６を「手ぶれ補正ＯＮ位置」、又は「手ぶれ補正チルト」に合わせられることにより、手ぶれ補正機能がＯＮされ、「手ぶれ補正ＯＦＦ位置」に合わせられることにより、手ぶれ補正機能がＯＦＦされる。
【００２４】
液晶モニタ３０は、カラー表示が可能な液晶ディスプレイで構成されている。この液晶モニタ３０は、再生モード時に撮影済み画像を表示するための表示パネルとして利用されるとともに、各種設定時にユーザインターフェースの表示パネルとして利用される。また、撮影時には必要に応じてスルー画像が表示されて、画角確認用の電子ファインダとして利用される。更に、像ぶれ防止装置が機能しているか否かを自己判定した内容が文字又はマークとして表示される。
【００２５】
ズームボタン３２は、望遠側へのズームを指示するズームテレボタン３２Ｔと、広角側へのズームを指示するズームワイドボタン３２Ｗとで構成され、このズームボタン３２が操作されることにより、撮影画角が変化する。
【００２６】
十字キー３４は、上下左右４方向に押圧操作可能に構成され、各方向の各キーは、カメラの状態に応じて割り当てられる機能が変化する。たとえば、通常の撮影モード時には、右キーがマクロ機能のＯＮ／ＯＦＦを切り替えるスイッチとして機能し、左キーがストロボの機能（オート／赤目軽減／スローシンクロ／発光禁止）を切り替えるスイッチとして機能する。また、後述するように、フレーミング調整時には、上キーが撮影領域の上方向への移動、下キーが撮影領域の下方向への移動、右キーが撮影領域の右方向への移動、左キーが撮影領域の左方向への移動指示を入力するキーとして機能する。また、再生時には右キーが順コマ送りボタンとして機能し、左キーが逆コマ送りボタンとして機能する。
【００２７】
ＭＥＮＵ／ＯＫボタン３６は、各モードの通常画面からメニュー画面への遷移を指示するボタン（ＭＥＮＵボタン）として機能するとともに、選択内容の確定、処理の実行等を指示するボタン（ＯＫボタン）として機能する。
【００２８】
ＤＩＳＰボタン３８は、背面表示パネルの表示内容の切り替えを指示するボタンとして機能し、ＢＡＣＫボタン４０は、入力操作のキャンセル等を指示するボタンとして機能する。
【００２９】
図３は上記デジタルカメラの電気的構成を示すブロック図である。同図に示すように、デジタルカメラ１０は、撮影レンズ１４、ＣＣＤ１１４、アナログ信号処理部１１６、Ａ／Ｄ変換器１１８、デジタル信号処理部１２０、圧縮伸張処理部１２２、メディアコントローラ１２４、記憶メディア１２６、エンコーダ１２８、液晶モニタ３０、操作部（撮影ボタン２０、電源／モードスイッチ２２、モードダイヤル２４、手ぶれ補正機能切替スイッチ２６、ズームボタン３２、十字キー３４、ＭＥＮＵ／ＯＫボタン３６、ＤＩＳＰボタン３８、ＢＡＣＫボタン４０等）１３２、ＣＰＵ（移動制御手段）１３４、ＲＡＭ１３６、ＲＯＭ１３８、フラッシュＲＯＭ１４０等で構成されている。
【００３０】
デジタルカメラ１０の全体の動作は、ＣＰＵ１３４によって統括制御されており、ＣＰＵ１３４は、操作部１３２からの入力に応じて、ＲＡＭ１３６を作業領域としながら、所定の制御プログラムに従ってデジタルカメラ１０の各部を制御する。ＲＯＭ１３８には、このＣＰＵ１３４が実行する制御プログラム及び制御に必要な各種データが記録されており、フラッシュＲＯＭ１４０には、ユーザー設定データ等が記録されている。
【００３１】
撮影レンズ１４を介してＣＣＤ１１４の受光面に入射した被写体光は、ＣＣＤ１１４の受光面に配列されたフォトダイオードによって光電変換され、画像信号としてＣＣＤ１１４から出力される。
【００３２】
ＣＣＤ１１４から出力された画像信号は、ＣＤＳ（相関二重サンプリング）、ＡＧＣ（ゲイン・コントロール・アンプ回路）等を備えたアナログ信号処理部１１６にて所要の信号処理を施された後、Ａ／Ｄ変換器１１８でデジタル信号に変換されて、デジタル信号処理部１２０に取り込まれる。
【００３３】
デジタル信号処理部１２０は、入力された画像信号に対して色分離処理、ガンマ補正処理、輪郭強調補正処理、色差マトリクス処理等の所要の信号処理を施して輝度信号（Ｙ信号）と色差信号（Ｃｒ、Ｃｂ信号）とからなるＹＵＶ信号を生成する。
【００３４】
画像を記録する場合は、デジタル信号処理部１２０で生成されたＹＵＶ信号が圧縮伸張処理部１２２にて所要の圧縮処理が施され、この圧縮された画像データがメディアコントローラ１２４を介して記憶メディア１２６に記録される。
【００３５】
また、液晶モニタ３０にスルー画像を表示する場合は、デジタル信号処理部１２０で生成されたＹＵＶ信号がエンコーダ１２８に加えられ、所定の表示用の信号形式に変換されて液晶モニタ３０に出力される。
【００３６】
また、記憶メディア１２６に記録された圧縮画像データを再生する場合は、ユーザーによる再生操作に応じて圧縮伸張処理部１２２に読み出され、所要の伸張処理が施されて非圧縮のＹＣ信号とされた後、エンコーダ１２８を介して液晶モニタ３０に表示される。
【００３７】
図４は、撮影レンズ１４の構成を示す側面図である。
【００３８】
同図に示すように、撮影レンズ１４は、第１レンズ群１、第２レンズ群２、第３レンズ群３及び第４レンズ群４で構成されており、第３レンズ群３の前段に絞り５が設置されている。この撮影レンズ１４は、像ぶれ補正機能を有しており、第１レンズ群１、第２レンズ群２及び第４レンズ群４が結像光学系を構成し、第３レンズ群３が、結像光学系の像のぶれを補正する可動光学補正手段を構成している。
【００３９】
第３レンズ群３は、補正レンズ（補正光学系）３Ａと固定レンズ３Ｂとで構成されており、補正レンズ３Ａを撮影光軸Ｏと直交する面内でピッチ方向（鉛直）とヨー方向（左右）に移動させることにより、像ぶれを補正する。
【００４０】
図５は、実施の形態の像ぶれ防止装置５０の構成を示す分解斜視図である。
【００４１】
同図に示すように、レンズ鏡筒５２の内側には、ピッチ方向（図中Ｐ方向）に沿ってＰガイド軸５４Ｐが配設されるとともに、ヨー方向（図中Ｙ方向）に沿ってＹガイド軸５４Ｙが配設されている。
【００４２】
Ｐガイド軸５４Ｐには、Ｐスライダ５６Ｐがスライド自在に支持されており、Ｙガイド軸５４Ｙには、Ｙスライダ５６Ｙがスライド自在に支持されている。Ｐスライダ５６Ｐには、Ｙ方向に沿ってｙガイド軸５８Ｙが配設されており、このｙガイド軸５８Ｙに補正レンズ３Ａを保持したレンズ保持枠６０がスライド自在に支持されている。また、Ｙスライダ５６Ｙには、Ｐ方向に沿ってｐガイド軸５８Ｐが配設されており、このｐガイド軸５８Ｐにレンズ保持枠６０がスライド自在に支持されている。
【００４３】
Ｐスライダ５６Ｐは、コイル６２Ｐとマグネット６４ＰとからなるＰコイルモータ（移動制御手段）６６Ｐに駆動されてＰ方向にスライドする。そして、このＰコイルモータ６６Ｐを構成するコイル６４ＰがＰスライダ５６Ｐに取り付けられており、マグネット６４Ｐがレンズ鏡筒５２に取り付けられている。
【００４４】
一方、Ｙスライダ５６Ｙは、コイル６２Ｙとマグネット６４ＹとなるＹコイルモータ（駆動手段）６６Ｙに駆動されてＹ方向にスライドする。そして、このＹコイルモータ６６Ｙを構成するコイル６２Ｙがスライダ５６Ｙに取り付けられており、マグネット６４Ｙがレンズ鏡筒５２に取り付けられている。
【００４５】
また、Ｐスライダ５６Ｐは、ホール素子（不図示）とマグネット６８ＰとからなるＰ位置センサ７０Ｐによって位置が検出される。そして、このＰ位置センサ７０Ｐを構成するホール素子がスライダ５６Ｐに取り付けられており、マグネット６８Ｐがレンズ鏡筒５２に取り付けられている。
【００４６】
一方、Ｙスライダ５６Ｙは、ホール素子（不図示）とマグネット６８ＹとからなるＹ位置センサ７０Ｙによって位置が検出される。そして、このＹ位置センサ７０Ｙを構成するホール素子がスライダ５６Ｙに取り付けられており、マグネット６８Ｙがレンズ鏡筒５２に取り付けられている。
【００４７】
以上のように構成された像ぶれ防止装置５０では、Ｐコイルモータ６６Ｐを駆動すると、Ｐスライダ５６ＰがＰ方向に移動し、これにより、レンズ保持枠６０がＰ方向に移動して、補正レンズ３ＡがＰ方向に移動する。また、Ｙコイルモータ６６Ｙを駆動すると、Ｙスライダ５６ＹがＹ方向に移動し、これにより、レンズ保持枠６０がＹ方向に移動して、補正レンズ３ＡがＹ方向に移動する。そして、Ｐコイルモータ６６Ｐ及びＹコイルモータ６６Ｙを駆動することにより、レンズ保持枠６０（補正レンズ３Ａ）が撮影光軸Ｏと直交する面内で移動される。
【００４８】
ＣＰＵ１３４は、Ｐ位置センサ７０ＰでＰスライダ５６Ｐの移動を検出すると、Ｐコイルモータドライバ７２Ｐを介してＰコイルモータ６６Ｐを駆動し、その移動を打ち消すように補正レンズ３Ａを移動させる。また、Ｙ位置センサ７０ＹでＹスライダ５６Ｙの移動を検出すると、Ｙコイルモータドライバ７２Ｙを介してＹコイルモータ６６Ｙを駆動し、その移動を打ち消すように補正レンズ３Ａを移動させる。これにより、手ぶれに基づく像のぶれが補正される。
【００４９】
また、ＣＰＵ１３４は、手ぶれ補正機能切替スイッチ２６が手ぶれ補正ＯＮに設定されている場合に、電源／モードスイッチ２２によって電源が投入されると、その際に、Ｐコイルモータ６６Ｐ及びＹコイルモータ６６Ｙを駆動して、像ぶれ防止装置の補正レンズ３Ａを、図６に示す円形の可動範囲８０の外周に沿って矢印ａの如く１周するように駆動し、その後に可動範囲８０の中心（撮影光軸Ｏ）に補正レンズ３Ａの光軸が合致するように補正レンズ３Ａを駆動する。なお、図７の如く補正レンズ３Ａを矢印ｃで示すＳ字状に沿って駆動してもよい。
【００５０】
更に、ＣＰＵ１３４は、手ぶれ補正機能切替スイッチ２６が手ぶれ補正チルトに設定されている場合に、電源／モードスイッチ２２によって電源が投入されると、その際に、Ｐコイルモータ６６Ｐを駆動して補正レンズ３Ａを、図８の如く可動範囲８０の鉛直方向に矢印ｂの如く直線状に１往復するように駆動し、その後に可動範囲８０の中心（撮影光軸Ｏ）に補正レンズ３Ａの光軸が合致するように補正レンズ３Ａを駆動する。
【００５１】
また、ＣＰＵ１３４は、手ぶれ補正機能切替スイッチ２６が手ぶれ補正ＯＮに設定されている場合に、撮影ボタン２０が半押しされると、その際に補正レンズ３Ａを図６、又は図７の軌跡に沿って駆動する。
【００５２】
更に、ＣＰＵ１３４は、手ぶれ補正機能切替スイッチ２６が手ぶれ補正チルトに設定されている場合に、撮影ボタン２０が半押しされると、その際に補正レンズ３Ａを図８に示した軌跡に沿って駆動する。
【００５３】
次に、前記の如く構成された像ぶれ防止装置を備えたデジタルカメラ１０の作用について図９を参照しながら説明する。
【００５４】
まず、デジタルカメラ１０の手ぶれ補正機能切替スイッチ２６をユーザーが確認し（ステップ（Ｓ）１００）、この手ぶれ補正機能切替スイッチ２６が、手ぶれ補正ＯＮに設定されている場合に、ユーザーが電源／モードスイッチ２２を操作して電源を投入すると（Ｓ１１０）、ＣＰＵ１３４がＰコイルモータ６６Ｐ及びＹコイルモータ６６Ｙを駆動制御して、像ぶれ防止装置の補正レンズ３Ａを、図６に示す円形の可動範囲８０の外周に沿って矢印ａの如く１周するように駆動し、その後に可動範囲８０の中心（撮影光軸Ｏ）に補正レンズ３Ａの光軸が合致するように補正レンズ３Ａを駆動する（Ｓ１２０）。
【００５５】
この後、ＣＰＵ１３４は、Ｐコイルモータ６６Ｐ及びＹコイルモータ６６Ｙのモータ負荷を検出することにより、補正レンズ３Ａが動作したことを確認し、正常に動作したこと又は異常であったことを液晶モニタ３０に表示する（Ｓ１３０）。
【００５６】
次に、実際に撮影動作を開始する前に、ユーザーがファインダ接眼部２８を覗いて撮影ボタン２０を半押しすると（Ｓ１４０）、この時、手ぶれ補正機能切替スイッチ２６は、手ぶれ補正ＯＮに設定されているので（Ｓ１５０）、ＣＰＵ１３４がＰコイルモータ６６Ｐ及びＹコイルモータ６６Ｙを駆動制御して、像ぶれ防止装置の補正レンズ３Ａを、図６に示す円形の可動範囲８０の外周に沿って矢印ａの如く１周するように駆動し、その後に可動範囲８０の中心（撮影光軸Ｏ）に補正レンズ３Ａの光軸が合致するように補正レンズ３Ａを駆動する（Ｓ１６０）。この後、撮影ボタン２０の半押し中に、ＣＰＵ１３４は、Ｐコイルモータ６６Ｐ及びＹコイルモータ６６Ｙのモータ負荷を検出することにより、補正レンズ３Ａが動作したことを確認し、正常に動作したこと又は異常であったことを液晶モニタ３０に表示する（Ｓ１７０）。これと同時にＡＥ処理（Ｓ１８０）と、ＡＦ処理（Ｓ１９０）とが行われ、この後に撮影ボタン２０を全押しすることにより露光が開始される（Ｓ２００）。そして、画像情報がＣＣＤ１１４からアナログ信号処理部を介して読み出され（Ｓ２１０）、この画像情報はＡ／Ｄ変換（Ｓ２２０）、デジタル画像処理（Ｓ２３０）、画像圧縮（Ｓ２４０）された後、記録媒体へ記録される（Ｓ２５０）。    
【００５７】
一方、デジタルカメラ１０の手ぶれ補正機能切替スイッチ２６をユーザーが確認し（ステップ（Ｓ）１００）、この手ぶれ補正機能切替スイッチ２６が、手ぶれ補正チルトに設定されている場合に、ユーザーが電源／モードスイッチ２２を操作して電源を投入すると（Ｓ１１０）、ＣＰＵ１３４がＰコイルモータ６６Ｐを駆動制御して、像ぶれ防止装置の補正レンズ３Ａを、図８の如く可動範囲８０の鉛直方向に矢印ｂの如く直線状に１往復するように駆動し、その後に可動範囲８０の中心（撮影光軸Ｏ）に補正レンズ３Ａの光軸が合致するように補正レンズ３Ａを駆動する（Ｓ２６０）。
【００５８】
この後、ＣＰＵ１３４は、Ｐコイルモータ６６Ｐのモータ負荷を検出することにより、補正レンズ３Ａが動作したことを確認し、正常に動作したこと又は異常であったことを液晶モニタ３０に表示する（Ｓ２７０）。
【００５９】
次に、実際に撮影動作を開始する前に、ユーザーがファインダ接眼部２８を覗いて撮影ボタン２０を半押しすると（Ｓ１４０）、この時、手ぶれ補正機能切替スイッチ２６は、手ぶれ補正チルトに設定されているので、ＣＰＵ１３４がＰコイルモータ６６Ｐを駆動制御して、像ぶれ防止装置の補正レンズ３Ａを、図８の如く可動範囲８０の鉛直方向に矢印ｂの如く直線状に１往復するように駆動し、その後に可動範囲８０の中心（撮影光軸Ｏ）に補正レンズ３Ａの光軸が合致するように補正レンズ３Ａを駆動する。この後、撮影ボタン２０の半押し中に、前述したＳ１８０、Ｓ１９０の処理を実行し、撮影ボタン２０が全押しされると、Ｓ２００〜Ｓ２５０の処理を順次実行する。
【００６０】
また、デジタルカメラ１０の手ぶれ補正機能切替スイッチ２６をユーザーが確認し（ステップ（Ｓ）１００）、この手ぶれ補正機能切替スイッチ２６が、手ぶれ補正ＯＦＦに設定されている場合に、ユーザーが電源／モードスイッチ２２を操作して電源を投入すると（Ｓ１１０）、ＣＰＵ１３４がＰコイルモータ６６Ｐ及び／又はＹコイルモータ６６Ｙを駆動制御して、可動範囲８０の中心（撮影光軸Ｏ）に補正レンズ３Ａの光軸が合致するように補正レンズ３Ａを駆動する（Ｓ２８０）。
【００６１】
この後、ユーザーがファインダ接眼部２８を覗いて撮影ボタン２０を半押しすると（Ｓ１４０）、この半押し中に、前述したＳ１８０、Ｓ１９０の処理を実行し、撮影ボタン２０が全押しされると、Ｓ２００〜Ｓ２５０の処理を順次実行する。
【００６２】
以上説明したように、実施の形態の像ぶれ防止装置によれば、電源が投入された際に補正レンズ３Ａを図６〜図８の軌跡に沿って移動させたり、像ぶれ防止動作を開始する際に所定のタイミングで、すなわち、撮影ボタン２０の半押し操作のタイミングで補正レンズ３Ａを図６〜図８の軌跡に沿って移動させたり、像ぶれ防止動作を開始する際に、手ぶれ補正機能切替スイッチ２６によって選択された像ぶれ補正モードに応じて補正レンズ３Ａを図６〜図８の如く異なる軌跡に沿って移動させたりしたので、像ぶれ防止機能が機能しているか否かを、ファインダ接眼部２８を覗くユーザーが容易に把握することができる。
【図面の簡単な説明】
【００６３】
【図１】実施の形態の像ぶれ防止装置が適用されたデジタルカメラの正面斜視図
【図２】図１に示したデジタルカメラの背面斜視図
【図３】デジタルカメラの電気的構成を示すブロック図
【図４】撮影レンズの構成を示す側面図
【図５】像ぶれ防止装置の構成を示す組立斜視図
【図６】補正レンズの移動軌跡の一例を示した説明図
【図７】補正レンズの移動軌跡の一例を示した説明図
【図８】補正レンズの移動軌跡の一例を示した説明図
【図９】デジタルカメラの操作手順を示すフローチャート
【符号の説明】
【００６４】
１…第１レンズ群、２…第２レンズ群、３…第３レンズ群、３Ａ…補正レンズ、３Ｂ…固定レンズ、４…第４レンズ群、５…絞り、１０…デジタルカメラ、１２…カメラぶれ、１４…撮影レンズ、１６…ファインダ窓、１８…ストロボ、２０…撮影ボタン、２２…電源／モードスイッチ、２４…モードダイヤル、２６…手ぶれ補正機能切替スイッチ、２８…ファインダ接眼部、３０…液晶モニタ、３２…ズームボタン、３４…十字キー、３６…ＭＥＮＵ／ＯＫボタン、３８…ＤＩＳＰボタン、４０…ＢＡＣＫボタン、５０…像ぶれ防止装置、５２…レンズ鏡筒、５４Ｐ…Ｐガイド軸、５４Ｙ…Ｙガイド軸、５６Ｐ…Ｐスライダ、５６Ｙ…Ｙスライダ、５８Ｐ…ｐガイド軸、５８Ｙ…ｙガイド軸、６０…レンズ保持枠、６２Ｐ…コイル、６２Ｙ…コイル、６４Ｐ…マグネット、６４Ｙ…マグネット、６６Ｐ…Ｐコイルモータ、６６Ｙ…Ｙコイルモータ、６８Ｐ…マグネット、６８Ｙ…マグネット、７０Ｐ…Ｐ位置センサ、７０Ｙ…Ｙ位置センサ、７２Ｐ…Ｐコイルモータドライバ、７２Ｙ…Ｙコイルモータドライバ、１１４…ＣＣＤ、１１６…アナログ信号処理部、１１８…Ａ／Ｄ変換器、１２０…デジタル信号処理部、１２２…圧縮伸張処理部、１２４…メディアコントローラ、１２６…記憶メディア、１２８…エンコーダ、１３０…液晶モニタ、１３２…操作部、１３４…ＣＰＵ、１３６…ＲＡＭ、１３８…ＲＯＭ
【図１】
0004706848.tif 000002
【図２】
0004706848.tif 000003
【図３】
0004706848.tif 000004
【図４】
0004706848.tif 000005
【図５】
0004706848.tif 000006
【図６】
0004706848.tif 000007
【図７】
0004706848.tif 000008
【図８】
0004706848.tif 000009
【図９】
0004706848.tif 000010